(57)【要約】【課題】譜面台を簡単な構成で、取り外した際にかさばらずコンパクトになるような譜面台装置を提供する。【解決手段】譜面台装置１００を、譜面板２２と枠体２１Ｒ，２１Ｌからなる譜面台部２と、譜面台支持部１Ｒ，１Ｌで構成する。譜面台支持部１Ｒ，１Ｌを第１回動片（譜面受け）１１、第２回動片１２、第３回動片１３からなるリンク機構とする。第１回動片１１、第２回動片１２、第３回動片１３をループ状に組み立ててフック１４ｂ１と透孔１３ａを嵌合して固定し、組立状態とする。第２回動片１２の嵌合孔１２ａを、楽器の上ケース７の背面上部７１に形成した嵌合対応部９にスライド嵌合する。嵌合孔１２ａを嵌合対応部９から外して、第１回動片１１、第２回動片１２、第３回動片１３を展開して譜面台部２の背面に配置し、折り畳み状態とする。【選択図】図１
2006243585.tif 000002
【特許請求の範囲】
【請求項１】
譜面台と譜面台支持部とからなり楽器本体に取り付け可能な譜面台装置であって、
前記譜面台支持部は前記譜面台と一体に折り畳み自在に連接され、
前記楽器本体に前記譜面台と前記譜面台支持部とを取り付けた場合には、前記譜面台支持部を側面視において立体的かつループ状に展開して前記楽器本体に固定するとともに、
前記楽器本体から前記譜面台と前記譜面台支持部を取り外した場合には、前記譜面台と前記譜面台支持部は譜面台に沿って互いに対向して略平面状に収縮し得るようにしたことを特徴とする譜面台装置。
【請求項２】
楽器外装のケースを構成する一面に譜面台支持部を介して譜面台部が保持される譜面台装置であって、
前記譜面台支持部は、
前記譜面台部に一部が連接された複数の回動片にてリンク機構を構成するとともに、該リンク機構の末尾の回動片を前記譜面台部に固定可能にする固定手段を有する支持部であって、
楽器に載置した組立状態にあっては前記リンク機構の各回動片にてループ状に展開するとともに前記固定手段により前記末尾の回動片を前記譜面台部に固定し、該組立状態における所定の回動片に設けた嵌合部を前記ケースの一面に設けた嵌合対応部に嵌合させることで当該譜面台装置を楽器に取り付け、楽器から取り外した折り畳み状態にあっては前記リンク機構の各回動片を前記譜面台部に沿うように直線状または折れ線状に展開するようにしてなることを特徴とする譜面台装置。
【請求項３】
楽器外装のケースを構成する一面に譜面台支持部を介して譜面台部が保持される譜面台装置であって、
前記譜面台支持部は、
前記譜面台部に一端が回動自在に枢着された第１回動片と、この第１回動片の他端に回動自在に一端が枢着された第２回動片と、前記第２回動片の他端に回動自在に一端が枢着された第３回動片と、該第３回動片の少なくとも一部を前記譜面台部に固定可能にする固定手段と、からなり、
前記第２回動片に隣接する各回動片がそれぞれ第２回動片と鋭角を成すように各回動片の回動位置を規定するとともに、前記固定手段により前記第３回動片の一部を前記譜面台部に固定することにより該譜面台支持部の組立状態を構成し、該組立状態における第２回動片の所定位置に設けた嵌合部を前記ケースの一面に設けた嵌合対応部に嵌合させることで当該譜面台装置を楽器に取り付け、
前記楽器の嵌合対応部から第２回動片の嵌合部を取り外し、前記各回動片を前記譜面台部に沿うように直線状または折れ線状に展開して、該譜面台支持部の折り畳み状態を構成するようにしたことを特徴とする譜面台装置。
【請求項４】
請求項２または３に記載の譜面台装置であって、
前記嵌合部が、前記ケースの一面に設けた嵌合対応部に対して、所定方向に移動することにより該嵌合部と嵌合対応部とが嵌合するスライド機構を構成していることを特徴とする譜面台装置。
【請求項５】
請求項３または４に記載の譜面台装置であって、
前記第３回動片の前記第２回動片と反対側の端部が前記譜面台部に対する固定部とされるとともに、該譜面台部に該固定部を摺動自在に保持する摺動ガイドを備え、
前記固定部を前記摺動ガイドに沿ってスライドさせることにより前記組立状態と折り畳み状態との２状態を遷移するように構成されていることを特徴とする譜面台装置。
【請求項６】
請求項５に記載の譜面台装置であって、
前記固定手段が、前記固定部及び前記摺動ガイドと、前記第１回動片の一端側に設けたフックと、前記第３回動片に設けた凹部とで構成され、前記組立状態において前記固定部を摺動ガイドにより譜面台部に保持するとともに該フックを該凹部に嵌合することにより前記第３回動片を前記譜面台部に固定することを特徴とする譜面台装置。
【請求項７】
請求項２または３に記載の譜面台装置であって、
前記譜面台支持部は前記譜面台部の幅方向に間隔を開けて複数配設され、
前記折り畳み状態で、該譜面台支持部が係着紐状部材となるようにしたことを特徴とする譜面台装置。
【請求項８】
請求項２または３に記載の譜面台装置であって、
前記第３回動片の第２回動片と反対側の端部と前記譜面台部の上方部とを紐状部材で結合したことを特徴とする譜面台装置。
【請求項９】
請求項８に記載の譜面台装置であって、
前記固定手段が、前記第３回動片の一部を前記譜面台部に保持する保持手段と、前記第１回動片の一端側に設けたフックと第３回動片に設けた凹部とで構成され、前記組立状態において前記第３回動片を譜面台部に保持するとともに該フックを該凹部に嵌合することにより前記第３回動片を前記譜面台部に固定することを特徴とする譜面台装置。
【請求項１０】
請求項３〜９のいずれか一項に記載の譜面台装置であって、前記折り畳み状態において前記第３回動片を前記譜面台部に固定するロック機構を備えたことを特徴とする譜面台装置。
【請求項１１】
請求項２〜１０のいずれか一項に記載の譜面台装置であって、
前記譜面台側の回動片が譜面受けであることを特徴とする譜面台装置。
【請求項１２】
請求項２〜１１のいずれか一項に記載の譜面台装置であって、
前記譜面台部は、譜面板と、前記譜面台支持部が取り付けられる左右枠体とから構成され、該左右枠体は該譜面板への組み付け部を有するとともに、該譜面板は該左右枠体への組み付け部を有し、両組み付け部を嵌合することで該譜面板と該左右枠体とを結合して該譜面台部を形成するようにしてなることを特徴とする譜面台装置。
【請求項１３】
請求項８に記載の譜面台装置であって、
前記左右の両紐状部材を結合する掛け橋部材を備えたことを特徴とする譜面台装置。
【請求項１４】
請求項８または１３に記載の譜面台装置であって、
前記譜面台部に薄冊部材を挟持する挟持部を設けたことを特徴とする譜面台装置。
【請求項１５】
請求項１３に記載の譜面台装置であって、
前記紐状部材の一部に前記掛け橋部材を結合するノード部を設けたことを特徴とする譜面台装置。
【発明の詳細な説明】
【技術分野】
【０００１】
本発明は、楽器に取り付けられ譜面を支持する譜面台装置に関する。
【背景技術】
【０００２】
従来、譜面台として、楽器ケースの一部に据え付けられ使用しないときはケース内に格納するもの、例えば実公昭４７−１７８８４号公報に開示されたものや、楽器ケースの天板に溝を設け譜面台を使用するときには譜面台の脚部をケースの溝に嵌合するもの、例えば実公昭６３−３６３９５号公報に開示されたものがある。また、特開２０００−９９００号公報のように譜面台に付加機能を付けるものもあったが、これは譜面台使用時に使われる機能であり、譜面台を取り外した時に使われる付加機能ではない。
【特許文献１】実公昭４７−１７８８４号公報
【特許文献２】実公昭６３−３６３９５号公報
【特許文献３】特開２０００−９９００号公報
【発明の開示】
【発明が解決しようとする課題】
【０００３】
上記従来の技術では譜面台を使用しないときは、楽器ケースの一部に譜面台を収納するスペースを設けるか、譜面台を取り外し他の場所へ保管する必要があった。
【０００４】
電子楽器（例えば鍵盤式電子楽器）などでは小型化、薄型化が進んだことやデザイン上の制約等から譜面台を収納するスペースを確保するのが困難になってきており、また、譜面台を取り外す場合でも譜面台の脚部や譜面受け部がかさばるといった問題があった。そこで、本発明は、譜面台を簡単な構成で、取り外した際にかさばらずコンパクトになるような譜面台装置を提供することを課題とする。
【課題を解決するための手段】
【０００５】
請求項１の譜面台装置は、譜面台支持部を譜面台と一体に折り畳み自在に連接し、譜面台支持部を側面視において立体的かつループ状に展開して楽器本体に固定して、譜面台部を取り付ける。楽器本体から取り外した場合には、譜面台と譜面台支持部を譜面台に沿って互いに対向して略平面状に収縮し得るようにした。
【０００６】
請求項２の譜面台装置は、譜面台支持部を複数の回動片からなるリンク機構とし、リンク機構の末尾の回動片を譜面台部に固定することにより譜面台支持部の組立状態とし、この状態で回動片に設けた嵌合部を楽器ケースの一面に設けた嵌合対応部に嵌合させることで当該譜面台装置を楽器に取り付けるようにした。また、譜面台支持部を楽器外装ケースから取り外して、譜面台支持部のリンク機構の各回動片を譜面台部に沿うように直線状または折れ線状に展開して、該譜面台支持部を折り畳み状態とするようにした。
【０００７】
請求項３の譜面台装置は、譜面台支持部を第１〜第３回動片と固定手段とから構成し、第２回動片とそれに隣接する各回動片が鋭角を成すように各回動片の回動位置を規定するとともに、第３回動片の一部を譜面台部に固定することにより該譜面台支持部の組立状態とし、この状態で第２回動片に設けた嵌合部を楽器ケースの一面に設けた嵌合対応部に嵌合させることで当該譜面台装置を楽器に取り付けるようにした。また、各回動片を譜面台部に沿うように直線状または折れ線状に展開して、該譜面台支持部の折り畳み状態を構成するようにした。
【０００８】
請求項４の譜面台装置は、請求項２または３の構成において、前記嵌合部とケースの一面に設けた嵌合対応部とにより、所定方向に移動することにより嵌合するスライド機構を構成するようにした。
【０００９】
請求項５の譜面台装置は、請求項３または４の構成において、第３回動片の第２回動片と反対側の端部を譜面台部に対する固定部とするとともに、この固定部を摺動ガイドで摺動自在に保持し、固定部を摺動ガイドに沿ってスライドさせることにより組立状態と折り畳み状態との２状態を遷移するようにした。
【００１０】
請求項６の譜面台装置は、請求項５の構成において、固定手段を、固定部及び摺動ガイドと、第１回動片の一端側に設けたフックと、第３回動片に設けた凹部とで構成し、組立状態において固定部を摺動ガイドにより譜面台部に保持するとともにフックを凹部に嵌合することにより第３回動片を譜面台部に固定するようにした。後述の実施例ではフックは第１回動片と共に回動するが、フックは譜面台部に設けられた固定のものでもよい。
【００１１】
請求項７の譜面台装置は、請求項２または３の構成において、譜面台支持部を譜面台部の幅方向に間隔を開けて複数配設し、折り畳み状態で、譜面台支持部が、壁掛け等の係着紐状部材となるようにした。この譜面台支持部が折り畳み状態で、リンク機構等によるループ状が消滅した長さ分だけ、上記係着紐状部材の上端部の間隔が狭まるようにし、この両方の譜面台支持部に対応する係着紐状部材により壁のフック等に引っかけるように構成できる。
【００１２】
請求項８の譜面台装置は、請求項２または３の構成において、譜面台部を譜面板と該譜面板の両端に設けられた左右枠体とで構成し、第３回動片の第２回動片と反対側の端部と枠体の上方部とを紐状部材で結合するようにした。
【００１３】
請求項９の譜面台装置は、請求項８の構成において、固定手段を、第３回動片の一部を譜面台部に保持する保持手段と、第１回動片の一端側に設けたフック、第３回動片に設けた凹部とで構成し、組立状態において保持手段により第３回動片を譜面台部に保持するとともにフックを凹部に嵌合することにより第３回動片を譜面台部に固定するようにした。保持手段としては、第３回動片を譜面台部に対して付着及び剥離を簡単にできるようなシート部材等が適している。
【００１４】
請求項１０の譜面台装置は、請求項３〜９のいずれか一項の構成において、折り畳み状態において第３回動片を譜面台部に固定するロック機構を備えるようにした。
【００１５】
請求項１１の譜面台装置は、請求項２〜１０のいずれか一項の構成において、譜面台側の回動片を譜面受けとするようにした。
【００１６】
請求項１２の譜面台装置は、請求項２〜１１のいずれか一項の構成において、譜面台部を、譜面板と、譜面台支持部が取り付けられる左右枠体とで構成し、左右枠体に譜面板への組み付け部、譜面板に左右枠体への組み付け部をそれぞれ設け、両組み付け部を嵌合することで譜面板と左右枠体とを結合して譜面台部を形成するようにした。
【００１７】
請求項１３の譜面台装置は、請求項８の構成において、左右の両紐状部材を結合する掛け橋部材を備えるようにした。
【００１８】
請求項１４の譜面台装置は、請求項８または１３の構成において、譜面台部に薄冊部材を挟持する挟持部を設けるようにした。
【００１９】
請求項１５の譜面台装置は、請求項１３の構成において、紐状部材の一部に掛け橋部材を結合するノード部を設けるようにした。ノード部としては、こぶ、くびれ、フック、凹部、透孔等、掛け橋部材を引っかけやすいものがよい。
【００２０】
回動片は折り畳み状態で譜面台部の裏側に配置するようにすると、前面（演奏者側の面）に配置しないので、前面に傷がつかず、前面が凸凹構造にもならないので、譜面が置きやすい。
【発明の効果】
【００２１】
請求項１の譜面台装置によれば、譜面台の不使用時の取り外した状態において、譜面台支持部を譜面台に沿って違いに対向して略平面状に収縮し得るので、譜面台支持部すなわち譜面台装置全体がかさばらない。また、譜面台支持部は譜面台と一体に連接されているので、各部材の紛失等の不具合も防止できる。
【００２２】
請求項２の譜面台装置によれば、譜面台の不使用時の折り畳み状態において、譜面台支持部のリンク機構の各回動片は譜面台部に沿うような直線状または折れ線状に展開され、請求項３の譜面台装置によれば、譜面台の不使用時の折り畳み状態において、譜面台支持部の各回動片は譜面台部に沿うような直線状または折れ線状に展開される。したがって、請求項２及び３では、譜面台支持部すなわち譜面台装置全体がかさばらない。また、請求項２のリンク機構、請求項３の各回動片は譜面台部と連結したまま組立状態と折り畳み状態との２状態を遷移できるので、各部材の紛失等の不具合も防止できる。
【００２３】
請求項４の譜面台装置によれば、請求項２または３の効果に加えて、回動片の嵌合部とケースの一面に設けた嵌合対応部とがスライド機構を構成しているので、譜面台支持部を楽器外装のケースの一面に対して所定方向にスライドさせるだけで当該譜面台装置を楽器に取り付けることができるので、取り付け作業がきわめて容易になる。
【００２４】
請求項５の譜面台装置によれば、請求項３または４の効果に加えて、固定部をスライドさせるだけで組立状態と折り畳み状態との２状態を遷移できるので、譜面台保持部の組立及び折り畳み作業がスムーズに行えるとともに、第３可動片の端部が譜面台部（摺動ガイド）に常に連結されているので、回動片の端部が不用意にばらけることもなく、扱いやすく、かつ、安全に作業ができる。
【００２５】
請求項６の譜面台装置によれば、請求項５の効果に加えて、固定部を摺動ガイドに沿ってスライドさせてフックを凹部に嵌合するだけで組立状態とすることができるので、組立作業が容易になる。またフックを凹部から外して固定部をスライドさせるだけで折り畳み状態とすることができるので折り畳み作業が容易になる。
【００２６】
請求項７の譜面台装置によれば、請求項２または３の効果に加えて、譜面台支持部の係着紐状部材により壁掛け等が容易になる。
【００２７】
請求項８の譜面台装置によれば、請求項２または３の効果に加えて、第３可動片の端部が紐状部材により枠体に常に連結されているので、回動片の端部が不用意にばらけることもなく、扱い安く、かつ、安全に作業ができる。
【００２８】
請求項９の譜面台装置によれば、請求項８の効果に加えて、フックを凹部に嵌合するだけで組立状態とすることができるので、組立作業が容易になる。またフックを凹部から外し、第３回動片を保持手段で保持して折り畳み状態とすることもできるので折り畳み作業が容易になる。
【００２９】
請求項１０の譜面台装置によれば、請求項３〜９のいずれか一項の効果に加えて、ロック機構により折り畳み状態を確実に保持することができる。
【００３０】
請求項１１の譜面台装置によれば、請求項２〜１０のいずれか一項の効果に加えて、譜面受けを譜面台支持部材の一部と共通部材としたので、構成が簡単になる。
【００３１】
請求項１２の譜面台装置によれば、請求項２〜１１のいずれか一項と同様な効果が得られる。また、譜面板と、左右枠体とが組み付け部において嵌合されるので、譜面板と、左右枠体及び譜面台支持部（リンク機構あるいは回動片）とを、異なる材料とすることができる。したがって、例えば譜面板を木材や合成樹脂等の軽量な材料とし、左右枠体、リンク機構あるいは回動片をアルミ等の金属などの材料とし、リンク機構等を堅牢にすることができ、頻繁に組立状態と折り畳み状態とを繰り返す作業を行っても、永続性を上げることができ、長持ちする。さらに、譜面板の左右幅の異なる異機種の譜面台装置を構成する際に、同一の左右枠体及び譜面台支持部を用いるとするこことができるので、複数種類の譜面台装置を安価に製造することができる。
【００３２】
請求項１３の譜面台装置によれば、請求項８の効果に加えて、左右の紐状部材を掛け橋部材で簡単に結合することができるので、この結合された紐状部材を掛け紐として用いて、該譜面台装置を楽器から外して譜面台としての不使用時に、折り畳み状態にある該譜面台装置を壁掛けボード等として用いることができる。
【００３３】
請求項１４の譜面台装置によれば、請求項８または１３の効果に加えて、該譜面台装置を楽器に取り付けて譜面台として使用時に挟持部により譜面を押さえることができ、該譜面台装置を楽器から外して譜面台としての不使用時に、壁掛けボート等として使用した際に写真や短編楽譜や作曲中の楽譜等を挟持することができる。
【００３４】
請求項１５の譜面台装置によれば、請求項１３の効果に加えて、掛け橋部材により左右の紐状部材をさらに容易に結合することができる。
【発明を実施するための最良の形態】
【００３５】
以下、図面を参照して本発明の実施の形態について説明する。図１は第１の実施例の譜面台装置１００の要部を示す斜視図であり、当該譜面台装置１００を備えた電子楽器を斜め後方から見た状態を示している。なお、この電子楽器及び譜面台装置１００において、演奏時の演奏者側（鍵盤側）を「前部」あるいは「前方」とし、その反対側を「後部」あるいは「後方」とし、さらに「左右」とは電子楽器の正立状態で前部から向かって左右とする。図１において、ＫＢは複数の鍵からなる鍵盤を表している。この電子楽器の本体ケースは、合成樹脂製の上ケース７と上ケース７内に嵌合される下ケース８とで構成されている。上ケース７の後方背面には背面上部７１と背面下部７２とがあり、譜面台装置１００は、背面上部７１に設けた嵌合対応部９において、左右の譜面台支持部１Ｌ、１Ｒを介して譜面台部２を保持している。
【００３６】
譜面台部２は、右側の枠体２１Ｒ、左側の枠体２１Ｌ及び譜面板２２とで構成されている。左右の枠体２１Ｌ，２１Ｒは譜面板２２の左右の端部にそれぞれ嵌合されており、各枠体２１Ｌ，２１Ｒの上端にはキャップ２１−１，２１−１がそれぞれ填め込まれている。そして、譜面支持部１Ｌ，１Ｒは枠体２１Ｌ，２１Ｒの位置において、それぞれ譜面台部２に取り付けられている。譜面台支持部１Ｌ、１Ｒと枠体２１Ｌ，２１Ｒ、及び、譜面板２２の両端は、該譜面板２２の平面に直交する面に対して鏡映対象となっている点以外を同一構造にしている。なお、譜面台支持部１Ｌ、１Ｒや枠体２１Ｌ，２１Ｒ等、以下の符号における「Ｌ」と「Ｒ」は左右を区別するものであり、この符号の「Ｌ」，「Ｒ」は適宜省略して説明する。また、譜面板２２の下辺の枠体２１Ｌ，２１Ｒの近傍には後述する蝶番状金具１４のフック１４ｂ１に対する曲がり防止用ストッパ２２ａ，２２ａが形成されている。
【００３７】
次に、枠体２１と譜面台支持部１の構造を説明する。図２及び図３は右側の枠体２１Ｒ及び右側の譜面台支持部１Ｒを示す一部破断側面図、図４は枠体２１Ｒ及び譜面台支持部１Ｒの要部斜視図であり、図２は譜面台支持部１の「組立状態」と電子楽器を示し、図３は譜面台支持部１の「折り畳み状態」を示している。また、図４は譜面台支持部１の２状態の遷移過程を示している。「組立状態」とは譜面台装置１００を電子楽器に載置した状態（あるいは載置できる状態）であり、「折り畳み状態」とは譜面台装置１００が電子楽器からとり外されて譜面台支持部１が譜面台部２の背面に折り畳まれた状態である。なお、図２に図示したように、電子楽器の下ケース８は、その上端部を上ケース７の内部に形成されたリブ７ａに当接して図示しないネジにより上ケース７と共に外装ケースを構成している。
【００３８】
譜面台支持部１は、第１回動片１１、第２回動片１２及び第３回動片１３を備え、第１回動片１１と第３回動片１３の他端１３Ｂは枠体２１に結合されている。第１回動片１１は譜面受け部を兼ねた合成樹脂製あるいは木製の部材であり、譜面台部２の左右方向（図１の矢印Ｐの方向）を長手方向として該譜面台部２の左右幅と略同長の部材である。第１回動片１１の一端１１Ａは枠体２１の下端２１Ａにおいて蝶番状金具１４を介して枠体２１に取り付けられている。第２回動片１２と第３回動片１３は例えば金属板で形成されており、第２回動片１２の一端１２Ａは蝶番１５を介して第１回動片１１の他端１１Ｂに取り付けられ、第３回動片１３の一端１３Ａは蝶番１６を介して第２回動片１２の他端１２Ｂに取り付けられている。また、第３回動片１３には「凹部」としての透孔１３ａが形成されている。
【００３９】
図５は蝶番状金具１４の分解斜視図であり、この蝶番状金具１４は枠体２１側に取り付けられるＡ金具１４ａと第１回動片１１側に取り付けられるＢ金具１４ｂとを軸１４ｃで貫通して蝶番状に形成されている。Ａ金具１４ａにはフック１４ｂ１が入出しうるように中央に切り欠き部１４ａ１が形成され、Ｂ金具１４ｂの中央には後述説明するように第３回動片１３の透孔１３ａに係合されるフック１４ｂ１が形成されている。
【００４０】
以上の構成により、第１回動片１１は譜面台部２に一端が回動自在に枢着され、第２回動片１２は第１回動片１１の他端に回動自在に一端が枢着され、第３回動片１３は第２回動片１２の他端に回動自在に一端が枢着されている。これにより、第１回動片１１、第２回動片１２及び第３回動片１３はリンク機構を構成している。
【００４１】
枠体２１はアルミニウムの押し出し成形品で構成され、後述の「組み付け部」において譜面板２２の端部に嵌合されている。図４に示したように枠体２１の裏面側の上部から下方に向かう一部の部分には、断面Ｌ型の２つのフレーム２１ａ，２１ａが枠体２１の両縁に沿って平行に形成されている。これにより、このフレーム２１ａ，２１ａの内側にはガイド溝２１ｂが設けられている。また、枠体２１のフレーム２１ａ，２１ａが形成されていない下端２１Ａまでの部分は平坦部２１ｃとされている。なお、枠体２１は押し出し成形品として形成した後、平坦部２１ｃを削り出したものである。さらに、枠体２１の下端２１Ａ側には切り溝２１ｄが形成されている。
【００４２】
図６は枠体２１と第３回動片１３との連結部分の構成を示す斜視図であり、この図６は左側の枠体２１Ｌの部分を示している。枠体２１のフレーム２１ａ，２１ａの内側のガイド溝２１ｂには、断面コ字状のスムーザ２１１がフレーム２１ａ，２１ａに沿って摺動自在となるように配設されている。このスムーザ２１１の内側には、第３回動片１３の他端１３Ｂがスムーザ２１１に対して回動自在に枢着されている。なお、図５は構造を分かり易くするために第３回動片１３を垂直に立てて図示してあるが、実際には垂直には移動しない。
【００４３】
以上の構成により、フレーム２１ａ，２１ａとガイド溝２１ｂは「摺動ガイド」を構成している。そして、第３回動片１３の他端１３Ｂは左右方向に突出した突起がスムーザ２１１の両壁ｗ１，ｗ２の対応部に開けた孔に嵌合させることで、スムーザ２１１と回動片１３の他端１３Ｂは回動自在となり、スムーザ２１１と共に枠体２１に沿って移動（摺動）可能となっている。第３回動片１３の他端１３Ｂもこのフレーム２１ａ，２１ａ内のみで移動可能となるように規制される。これにより、第３回動片１３の他端１３Ｂ、スムーザ２１１及びフレーム２１ａは「固定部」を構成している。すなわち、この「固定部」の「固定」とは他端１３Ｂがフレーム２１（譜面台部２）から離れないことを意味している。
【００４４】
図７は図４のＡ−Ａ矢視断面図であり、枠体２１（２１Ｒ）と譜面板２２との組み付け構造を示している。枠体２１には前記フレーム２１ａの部分と一体にされて押し出し成形により、枠体２１の長手方向に断面形状が矩形となる組み付け溝２１ｄが形成されている。また、組み付け溝２１ｄの縁（譜面板２２の前面側の縁）には組み付け溝２１ｄに沿って突条２１ｅが形成されている。一方、譜面板２２の端部は、譜面板２２の厚さより薄くすることにより組み付けほぞ部２２ｂが枠体２１の長手方向に形成され、この組み付けほぞ部２２ｂの付け根には枠体２１の突条２１ｅに嵌合する溝２２ｃが形成されている。そして、枠体２１は、長手方向に対し突条２１ｅを溝２２ｃに合わせて、組み付けほぞ部２２ｂを組み付け溝２１ｄ内に挿入し、図４の矢印Ｑ方向に互いにスライドさることで枠体２１と譜面板２２は組み付けられ、組み付けた後、所定位置でネジＮ１（図７）により固定される。突条２１ｅと溝２２ｃは譜面板２２の左右方向における位置出しの役割をしている。このように、組み付け溝２１ｄと組み付けほぞ部２２ｂはそれぞれ「組み付け部」を構成している。なお、譜面板２２の組み付けほぞ部２２ｂの下端部には、枠体２１の切り溝２１ｄ（図４参照）に合わせて、前方視矩形状の切り欠き部２２ｄ（図２の破線）が形成されている。
【００４５】
図４に示したように、枠体２１の平坦部２１ｃの近傍にはロック装置３が取り付けられている。図８はロック装置３の構造を示す側面図である。ロック装置３は、譜面台支持部１の折り畳み状態の時に第３回動片１３が動いて折り畳み状態が崩れないようにするためのものである。このロック装置３は、図８に示すように、例えば金属板のプレス及び曲げ加工等により形成された爪部材３１を、コイルひげバネ３２と共に座金３３に軸支したものであり、ネジＮ２により枠体２１のフレーム２１ａに取り付けられている。爪部材３１は、軸からＵ字状に湾曲したバネ部３１ａと上面部３１ｂと先端部３１ｃとからなり、先端部３１ｃはフレーム２１ａ，２１ａの間に僅かに突出されている。また、この先端部３１ｃには角度が４５度より大きなテーパー面３１ｃ１が形成されている。
【００４６】
爪部材３１は通常は図８の位置にある。折り畳み状態にするとき第３回動片１３はフレーム２１ａ，２１ａの間に収納されるが、このとき、第３回動片１３がテーパー面３１ｃ１を押して、先端部３１ｃと上面部３１ｂはバネ部３１ａの付勢力に抗して図８の右側に移動する。そして、第３回動片１３がフレーム２１ａ，２１ａ内に収納されると、先端部３１ｃと上面部３１ｂはバネ部３１ａの付勢力により図８の位置に戻り、先端部３１ｃが第３回動片１３を押さえた状態となる。折り畳み状態を解除するときは、上面部３１ｂを押してひげバネ３２の付勢力に抗して爪部材３１を回動し、第３回動片１３をフレーム２１ａ，２１ａ内から取り出すことができる。その後、上面部３１ｂから手を離せばひげバネ３２の付勢力により爪部材３１は図８の位置に戻る。なお、左側の枠体２１Ｌにも同様なロック装置が設けられている。この第１実施例ではロック装置３が、折り畳み状態において第３回動片１３を譜面台部２に固定する「ロック機構」に相当する。
【００４７】
図３は譜面台支持部１の折り畳み状態であるが、この状態から組立状態にする場合は、第１回動片１１、第２回動片１２、第３回動片１３をループ状になるように展開し、第１回動片１１を図３において時計回りに回動させて一端１１Ａにネジ止めしたＢ金具１４ｂのフック１４ｂ１を、Ａ金具１４ａの切り欠き部１４ａ１（図５参照）、枠体２１の切り溝２１ｄ（図４参照）を潜らせる（貫通する）。このとき、第３回動片１３の他端１３Ｂ（固定部）は枠体２１（ガイド溝２１ｂ）を下方に移動し、この第３回動片１３の上部一部が枠体２１の平坦部２１ｃに当接するとともに透孔１３ａが枠体２１の下端２１Ａの近傍に位置する。そこで、上記フック１４ｂ１をこの透孔１３ａの下辺に引っ掛ける。これにより、図２のように第２回動片１２と第１回動片１１とが鋭角をなすとともに、第２回動片１２と第３回動片１３とが鋭角をなすようになり、組立状態が完成する。この組立状態で譜面台装置１００を後述のように楽器ケースの背面上部７１に取り付けると、譜面台部２が立設した位置となる。したがって、譜面板２２、枠体２１及び第１回動片１１の自重により、Ｂ金具１４ｂのフック１４ｂ１が透孔１３ａに固定され、組立状態が維持される。
【００４８】
また、組立状態から折り畳み状態にする場合は、譜面台装置１００を背面上部７１から取り外し、フック１４ｂ１を透孔１３ａから外し、第１回動片１１を図２において反時計回りに回動させ、第１回動片１１、第２回動片１２、第３回動片１３のループを開放するように展開する。そして、第３回動片１３の他端１３Ｂを枠体２１に沿って上方に移動し、第３回動片１３を枠体２１のフレーム２１ａ，２１ａ内に嵌合収納するとともに、第２回動片１２と第１回動片１１が枠体２１の平坦部２１ｃに当接するように折り畳む。これにより、図３の折り畳み状態とする。このとき、第３回動片１３は前記ロック装置３により枠体２１内に固定されるので、この折り畳み状態で第１回動片１１、第２回動片１２及び第３回動片１３が、ばらけることがない。
【００４９】
このように、折り畳み状態において、第１回動片１１、第２回動片１２及び第３回動片１３は譜面台部２（その背面）に沿うように直線状に展開されており、譜面台装置１００が簡単な構成で、取り外した際にかさばらずコンパクトになる。また、この折り畳み状態で譜面台装置１００をどこかに立てかけて置く場合、譜面台部２の際下端には曲がり防止用ストッパ２２ａ，２２ａがあるので、下端に回り込んだフック１４ｂ１が床に当たることがなく、このフック１４ｂ１の曲がりを防止できる。なお、この第１実施例では、第３回動片１３の他端１３Ｂを含む「固定部」と、上記フック１４ｂ１及び透孔１３ａの構成が、第３回動片１３を譜面台部２に固定可能にする「固定手段」に相当する。
【００５０】
図９は楽器の上ケース７の背面上部７１に設けた嵌合対応部９の構造を示す図であり、この嵌合対応部９は、上ケース７の背面上部７１に形成された透孔７１ａと、硬質合成樹脂等の嵌合凸部材１０とで構成されている。嵌合凸部材１０は、円柱状のボス部１０ａ、ボス部１０ａより径の小さなくびれ部１０ｂ、及び板状のフランジ部１０ｃを一体に成型したものである。そして、背面上部７１のケース内側（図９では下側）から透孔７１ａにボス部１０ａを通し、透孔７１ａの周囲でフランジ部１０ｃをネジＮ３によりネジ止めされている。これにより、背面上部７１のケース外側にボス部１０ａとくびれ部１０ｂの一部が突出した構造になっている。そして、このくびれ部１０ｂの一部突出した部分の高さｈは第２回動片１２の厚みに整合する寸法となっている。なお、この嵌合対応部９は左右の譜面台支持部１Ｌ，１Ｒに対応して背面上部７１の左右２箇所に形成されていることはいうまでもない。
【００５１】
一方、図１０に示すように、第２回動片１２には、打ち抜き加工等により円形の挿入部１２ａ１と縦長のスライド部１２ａ２とから成る鍵穴状の嵌合孔１２ａが「嵌合部」として形成されている。この嵌合孔１２ａの挿入部１２ａ１は嵌合凸部材１０のボス部１０ａが挿入できる径となっている。また、嵌合孔１２ａのスライド部１２ａ２は、挿入部１２ａ１から第２回動片１２の一端１２Ａの方向（所定方向）に向けて形成されており、このスライド部１２ａ２の幅ｗは嵌合凸部材１０のくびれ部１０ｂの径に整合する寸法となっている。
【００５２】
以上の構成により、譜面台装置１００を固定するとき譜面台支持部１を図２に示した組立状態とし、第２回動片１２の嵌合孔１２ａの挿入部１２ａ１に嵌合凸部材１０のボス部１０ａを挿入し、くびれ部１０ｂをスライド部１２ａ２に沿わせるようにして譜面台装置１００を移動させる。これにより、譜面台装置１００が嵌合対応部９において固定される。くびれ部１０ｂの突出している高さｈが第２回動片１２の厚みに整合するので、この第２回動片１２はスライド部１２ａ２の周囲においてボス部１０ａと背面上部７１とに挟まれた状態となり確実に固定される。また、譜面台装置１００を取り外すときは、くびれ部１０ｂをスライド部１２ａ２に沿わせるようにして譜面台装置１００を移動させ、第２回動片１２の挿入部１２ａ１から嵌合凸部材１０のボス部１０ａを抜き出す。
【００５３】
このように、嵌合部である嵌合孔１２ａと嵌合対応部９とは「スライド機構」を構成しており、楽器に対して当該譜面台装置１００をワンタッチで取り付け／取り外しをすることができる。なお、スライド部１２ａの幅ｗとくびれ部１０ｂの径とは、くびれ部１０ｂの径を僅かに小さしてある程度のクリアランスを設けてあるが（図９及び図１０参照）、このクリアランスは左右の嵌合対応部９（嵌合凸部材１０）の間隔と左右の譜面台支持部１Ｌ，１Ｒの間隔の精度に応じて設定されている。
【００５４】
第１実施例によれば、第３回動片１３の他端１３Ｂ（スムーザ２１１）を枠体２１に沿ってスライドさせることで、組立状態と折り畳み状態とを遷移できるので、組立及び折り畳み作業（操作）がスムーズに簡単に行える。
【００５５】
図１１は第２実施例の譜面台装置２００の要部を示す斜視図である。第１実施例の譜面台装置１００と同様な要素には第１実施例の各要素と同符号を付記して詳細な説明は省略する。また、第１実施例に対応する要素には第１実施例の要素の符号に「′」記号を付記した符号を用いる。この第２実施例の譜面台装置２００は、背面上部７１に設けた嵌合対応部９において、左右の譜面台支持部１Ｌ′、１Ｒ′を介して譜面台部２′を保持している。第１実施例においては譜面台部２が枠体２１Ｌ，２１Ｒと譜面板２２との別部材で構成されているのに対して、この第２実施例の譜面台装置２００の譜面台部２′は、枠部２１Ｌ′，２１Ｒ′と譜面板部２２′とを例えば合成樹脂等で一体に形成されている。
【００５６】
図１２及び図１３は右側の枠部２１Ｒ′及び右側の譜面台支持部１Ｒ′を示す一部破断側面図、図１４は譜面台装置２００の折り畳み状態の要部斜視図であり、図１２は譜面台支持部１′の「組立状態」と電子楽器を示し、図１３は譜面台支持部１′の「折り畳み状態」を示している。図１４に示すように、譜面台部２′は表面に「挟持部」として左右一対のクリップ部材２３Ｌ，２３Ｒを備えている。なお、このクリップ部材２３Ｌ，２３Ｒはその上辺部と譜面板部２２′との接点を軸として図示しないバネにより譜面板部２２′側に付勢されている。さらに、第１実施形態における第３回動片１３は枠体２１内に収納できるように第２回動片１２に比べてその幅が狭くなっているが、この第２実施形態における第３回動片１３′は第２回動片１２と同幅である。また、第３回動片１３′の他端１３Ｂ′は紐状部材１７によって枠部２１′の上端２１Ｔに連結されている。
【００５７】
譜面台部２′の枠部２１′の裏側には、外側端部から第３回動片１３′の幅に相当する幅の平坦部２１１が形成され、この平坦部２１１の内側端部にはその長手方向に沿って突条２１２が形成されている。また、平坦部２１１の上下２箇所に固定部としてのＡシート２１３，２１４（図１２参照）がそれぞれ貼着されている。さらに、第３回動片１３′にはその中程に第１実施例における透孔１３ａと同様な透孔１３ａ′が形成されるとともに、この第３回動片１３′の裏面には、固定部としてのＢシート１３１が貼着されている。Ａシート２１３，２１４は、表面に無数の鈎状突起が形成された可撓性を有する合成樹脂製のシート部材であり、Ｂシート１３１は無数のパイルが扶植された布を基布に張り合わせたシート部材である。そして、これらのシート部材を張り合わせると、鈎状突起がパイルに引っ掛かり、両シート部材は付着される。また、両シート部材を剥がすように引っ張れば、主に鈎状突起の先端の弾性変形により、この鈎状突起がパイルから外れて、両シート部材は剥離できる。このシート部材はいわゆる「マジックテープ（登録商標）」と同様な構成である。
【００５８】
以上の構成により、譜面台支持部１′を組立状態にする場合には、図１２に示すように、第１回動片１１、第２回動片１２、第３回動片１３′をループ状に展開し、この第３回動片１３′のＢシート１３１を平坦部２１１の下側のＡシート２１４に張り合わせるとともに、第１実施例と同様に蝶番状金具１４のＢ金具１４ｂのフック１４ｂ１を第３回動片１３′の透孔１３ａ′の下辺に引っ掛ける。これにより、図１２の組立状態が完成する。この場合も、第２回動片１２と第１回動片１１、第２回動片１２と第３回動片１３′は、それぞれ鋭角をなしている。なお、組立状態において、楽器ケースの背面上部７１に取り付けるには第２回動片１２の嵌合孔１２ａを嵌合対応部９に嵌合させることは第１実施例と同様でる。この第２実施例では、平坦部２１１の下側のＡシート２１４と第３回動片１３′のＢシート１３１とが、第３回動片１３′の一部を譜面台部２′に保持する「保持手段」に相当し、この保持手段と、上記フック１４ｂ１及び透孔１３ａ′の構成が、第３回動片１３′を譜面台部２′に固定可能にする「固定手段」に相当する。
【００５９】
また、組立状態から折り畳み状態にする場合は、フック１４ｂ１を透孔１３ａ′から外し、第１回動片１１を図１２において反時計回りに回動させ、第１回動片１１、第２回動片１２、第３回動片１３′のループを開放するように展開する。そして、第３回動片１３′のＢシート１３１を平坦部２１１の上側のＡシート２１３に張り合わ、図１３の折り畳み状態とする。このように、組立状態と折り畳み状態を遷移するときも、第３回動片１３′の他端１３Ｂ′が紐状部材１７により枠部２１′の上端に連結されているので、第３回動片１３が、ばらけることがない。また、この第２実施例においても、折り畳み状態において、第１回動片１１、第２回動片１２及び第３回動片１３は譜面台部２′（その背面）に沿うように直線状に展開されており、譜面台装置２００が簡単な構成で、取り外した際にかさばらずコンパクトになる。この第２実施例でも、折り畳み状態で譜面台装置２００を立てかけて置く場合、曲がり防止用ストッパ２２ａ，２２ａによりフック１４ｂ１の曲がりを防止できる。この第２実施例では平坦部２１１の上側のＡシート２１３と第３回動片１３′のＢシート１３１が、折り畳み状態において第３回動片１３′を譜面台部２′に固定する「ロック機構」に相当する。
【００６０】
この第２実施例においては、折り畳み状態で紐状部材１７の両端は枠部２１′の上端近傍を始点及び終点としてループを形成する。そこで、図１４に示したように、左右両側のの紐状部材１７Ｌ，１７Ｒを掛け橋部材１８で連結し、この掛け橋部材１８を例えば壁に設けたフック２０に引っ掛けることで、折り畳み状態の当該譜面台装置を壁掛け台として利用することができる。また、その際に、写真やメモ用紙等の「薄冊部材」をクリップ部材２３Ｌあるいは２３Ｒで挟持させることができる。なお、この実施例ではクリップ部材２３を２つ設けてあるが、１つでも３つでもよい。また、譜面台として使用するとき（組立状態のとき）に、クリップ部材２３が邪魔にならないように、フック等で該クリップ部材２３を上側に上げるように固定できる構成としてもよい。
【００６１】
ここで、掛け橋部材１８はその両端にフック１８ａ，１８ａを設け、紐状部材１７Ｌ，１７Ｒの折り返しの部分にフック１８ａ，１８ａを引っ掛けるようにしているが、紐状部材１７Ｌ，１７Ｒのこの折り返しの部分にリング状の部材を設けてそのリング状の部材にフック１８ａ，１８ａを引っ掛けるようにしてもよい。また、紐状部材１７Ｌ，１７Ｒを鎖状の部材としてその鎖の一つのリングに引っ掛けるようにしてもよい。さらに、紐状部材１７Ｌ，１７Ｒを数珠状の部材としたり少なくとも折り返し部分に２つの玉状のこぶを設けるなどし、そのこぶの間にフック１８ａ，１８ａを引っ掛けるようにしてもよい。このようにフック１８ａ，１８ａを引っ掛ける部分は、それぞれ「ノード部」に対応する。また、掛け橋部材１８は紐状部材１７Ｌ，１７Ｒのいずれか一方に予め取り付けられていてもよい。
【００６２】
以上の第２実施例における譜面台部２′は、枠部２１′と譜面板部２２′とを一体に形成しているが、譜面台支持部１′の構成を用いるとともに、この枠部２１′を第１実施例における枠体２１と同様な枠体とし、その枠体に譜面台支持部１′を取り付けるとともに、その枠体と譜面板とを第１実施例と同様な嵌合部で嵌合して枠体と譜面板とを組み付けるようにしてもよい。このような実施例と第１実施例においては、譜面板２２の左右の幅だけを異なるようにして、例えば異機種の楽器に対応する異機種の譜面台装置を構成する際に、枠体と譜面台支持部を異機種で共通にすることができ、譜面台装置のコストを低減することができる。
【００６３】
また、以上の実施例では３つの回動片によりリンク機構を構成し、組立状態において３つの回動片により３角形のループを形成するようにしているので、「固定手段」をなすフック１４ｂ１と透孔１３ａ（１３ａ′）とにより、一箇所を固定するだけで簡単に確実に形状を保持できる。しかし、この３つの回動片に限らず各実施例の譜面台支持部として４つ以上の回動片でリンク機構を構成してもよい。この場合、第３回動片に対応するリンク機構の末尾の回動片を譜面台部に固定する固定手段を設けることはいうまでもない。また、この場合に組立状態において、各回動片が隣接する回動片と成す角度が各々所定角度で固定されるように構成するとよい。
【００６４】
また、以上の実施例では、折り畳み状態のときに各回動片は譜面台部（枠体あるいは枠部）に沿って直線状に展開するようにしているが、多少折れ線状でもよく、特に譜面板が湾曲しているような場合には折れ線状とする。
【００６５】
なお、図２及び図１２に示したように、第１及び第２実施例における嵌合対応部９の嵌合凸部材１０は、そのボス部１０ａの先端が、楽器ケースの背面下部７２の面の延長線上にある。これにより、譜面台装置を取り外した電子楽器を、背面下部７２とボス部１０ａを床面側にして該電子楽器を安定して立てておくことができる。また、左右の嵌合凸部材１０は左右に２つ設けられているので、電子楽器の電源コードをこの２つの嵌合凸部材１０，１０に掛け回しておくこともできる。
【００６６】
図１５は第３実施例の譜面台装置３００の要部を示す側面図（側視図）である。第１実施例の譜面台装置１００と同様な要素には第１実施例の各要素と同符号を付記して詳細な説明は省略する。また、第１実施例に対応する要素には第１実施例の要素の符号に「″」記号を付記した符号を用いる。この第３実施例の譜面台装置３００は譜面台支持部４と「譜面台」としての譜面板２２″とを有し、譜面台支持部４は、譜面受け部を兼ねた第１回動片４１、第２回動片４２、第１連鎖状部４３、第１固定部４４、第２連鎖状部４５及び第２固定部４６で構成されている。第１回動片４１及び第２回動片４２は、第１実施形態の第１回動片１１及び第２回動片１２と同様な構成である。図１５は譜面台支持部４の「組立状態」を示しており、譜面台支持部４で譜面板２２″を保持し、譜面台支持部４の第２回動片４２を介して前記実施例と同様に電子楽器の上ケースの背面上部７１に取り付けられる。
【００６７】
第１連鎖状部４３と第２連鎖状部４５は、図１６(A) に示すチップ部材５を多数連結して構成されている。チップ部材５は先端に球形ボス５１ａを有するスティック部５１と切り欠き部５２ａを有する連結部５２とを樹脂で一体成型して形成されている。ここで、図１６は第２回動片４２側から数えてｎ番目のチップ部材５とｎ＋１番目のチップ部材５とを図示したものであり、図１６(A) はこれらを分解した状態である。なお、ｎ番目を前段、ｎ＋１番目を後段という。各チック部材５，５は次のように連結される。前段の連結部５２の切り欠き部５２ａは後段のチップ部材のスティック部５１が嵌合する形状になっており、後段のスティック部５１を前段の切り欠き部５２ａ内に嵌合させ、ピン５３を、前段の連結部５２の軸穴５２ｂ、後段のスティック部５１に形成された軸穴５１ｂ及び前段の連結部５２の軸穴５２ｂと通して、両チップ部材５，５は連結される。
【００６８】
切り欠き部５２ａ内には後段のスティック部５１の球形ボス５１ａが嵌合する穴５２ｃが形成されており、前段及び後段のチップ部材５が一直線状に位置するとき球形ボス５１ａが穴５２ａに嵌合してその一直線状がある程度の力に抗して保持可能となっている。また、切り欠き部５２ａの穴５２ｃに隣接する片側には段部５２ｄが形成されており、球形ボス５１ａが穴５２ａから外れてスティック部５１が切り欠き部５２ａの奥側に僅かに回動すると、図１６(B) に示したように、段部５２ｄに球形ボス５１ａが当接し、前段のチップ部材５に対して後段のチップ部材５の回動が阻止され、両チップ部材５，５の成す最大角度θが固定される。
【００６９】
このように多数のチップ部材５，５，…が連結されて第１連鎖状部４３及び第２連鎖状部４５が構成されており、上記最大角度θが固定されるので、図１５に示したように第１連鎖状部４３は一定の円弧状を形成し、かつ、第１連鎖状部４５の円弧の半径は図１５の状態よりも小さくなることはない。また、図１５において、第１固定部４４と第２固定部４６は、例えば第２実施例のシート部材と同様な構成により譜面板２２″の裏面に固着されており、この第１固定部４４と第２固定部４６の間で、第２連鎖状部４５は譜面板２２″に沿って配置される。これにより、譜面台保持部４は、側面視（側面図）において立体的かつループ状に展開して譜面板２２″（譜面台）を楽器本体に固定するように構成されている。
【００７０】
また、第１連鎖状部４３は各チップ部材５を直線状にすることができるので、第１固定部４４，第２固定部４６を譜面板２２″から外し、第１回動片４１、第２回動片４２、第１連鎖状部４３、第１固定部４４、第２連鎖状部４５及び第２固定部４６を直線状にし、それぞれ譜面板２２″の裏面に沿って互いに対向して略平面状に収縮することができる。この場合も、第１固定部４４及び第２固定部４６は第２実施例と同様に譜面板２２″の裏面に固着すればよい。
【図面の簡単な説明】
【００７１】
【図１】第１の実施例の譜面台装置の要部を示す斜視図である。
【図２】第１実施例における枠体及び譜面台支持部を示す組立状態の一部破断側面図である。
【図３】第１実施例における枠体及び譜面台支持部を示す折り畳み状態の一部破断側面図である。
【図４】第１実施例における枠体及び譜面台支持部の要部斜視図である。
【図５】第１実施例における蝶番状金具の分解斜視図である。
【図６】第１実施例における枠体と第３回動片との連結部分の構成を示す斜視図である。
【図７】図４のＡ−Ａ矢視断面図である。
【図８】第１実施例におけるロック装置の構造を示す側面図である。
【図９】実施例における嵌合対応部の構造を示す図である。
【図１０】実施例における第２回動片の嵌合孔の詳細を示す図である。
【図１１】第２実施例の譜面台装置の要部を示す斜視図である。
【図１２】第２実施例における枠部及び譜面台支持部を示す組立状態の一部破断側面図である。
【図１３】第２実施例における枠部及び譜面台支持部を示す折り畳み状態の一部破断側面図である。
【図１４】第２実施例の譜面台装置の折り畳み状態の要部斜視図である。
【図１５】第３実施例の譜面台装置の要部を示す側面図である。
【図１６】第３実施例におけるチップ部材の構成を示す図である。
【符号の説明】
【００７２】
１（Ｌ，Ｒ），１′（Ｌ，Ｒ）…譜面台支持部、１１…第１回動片、１２…第２回動片、１２ａ…嵌合孔（嵌合部（スライド機構））、１３…第３回動片、１３Ｂ…他端（固定部）、１３ａ…透孔（凹部（固定手段））、１４…蝶番状金具、１４ｂ１…フック（固定手段）、２，２′…譜面台部、２１（Ｌ，Ｒ）…枠体、２１ａ…フレーム（摺動ガイド、固定部（固定手段））、２１ｂ…ガイド溝（摺動ガイド）、２１１…スムーザ（固定部（固定手段））、２１ｄ…組み付け溝（組み付け部）、２１′（Ｌ，Ｒ）…枠部、２２…譜面板、２２ｂ…組み付けほぞ部（組み付け部）、２２′…譜面板部、３…ロック装置（ロック機構）、１０…嵌合凸部材、２３（Ｌ，Ｒ）…クリップ部材（挟持部）、１３′…第３回動片、２１３…Ａシート（ロック機構）、２１４…Ａシート（保持手段（固定手段））、１３ａ′…透孔（固定手段）、１３１…Ｂシート（保持手段（固定手段）、ロック機構）、１７（Ｌ，Ｒ）…紐状部材、１８…掛け橋部材、７…上ケース、７１…背面上部（一面）、９…嵌合対応部（スライド機構）、２２″…譜面板（譜面台部）、４１…第１回動片、４２…第２回動片、４３…第１連鎖状部、４４…第１固定部、４５…第２連鎖状部、４６…第１固定部、１００，２００，３００…譜面台装置
【図１】
2006243585.tif 000003
【図２】
2006243585.tif 000004
【図３】
2006243585.tif 000005
【図４】
2006243585.tif 000006
【図５】
2006243585.tif 000007
【図６】
2006243585.tif 000008
【図７】
2006243585.tif 000009
【図８】
2006243585.tif 000010
【図９】
2006243585.tif 000011
【図１０】
2006243585.tif 000012
【図１１】
2006243585.tif 000013
【図１２】
2006243585.tif 000014
【図１３】
2006243585.tif 000015
【図１４】
2006243585.tif 000016
【図１５】
2006243585.tif 000017
【図１６】
2006243585.tif 000018